(57)【要約】【課題】  天井や壁下地に角型下地材１３を採用し、挿し込み式の固定金具２を用いて角型下地材１３の端部を直接的に当接させずにスタッド１２間に横架支持し、地震等によるスタッド１２の振動を固定金具２によって弾性的に受け止め吸収して、角型下地材１３や固定金具２自体の変形を防止し、角型下地材１３の建付け水平度を保ち、壁下地全体の耐震性を向上させる。【解決手段】  固定金具２を、角型下地材１３の端部に挿し込まれる挿入支持部２１と、スタッド１２に面当されて先端側が角型下地材１３から延出する固定片２２１を有するスタッド取付部２２とで構成し、挿入支持部２１に形成された両支持片２１２を角型下地材１３の内周に弾圧させて抜け止め規制し挿入ズレを許容した支持を可能とし、スタッド取付部２２に形成した屈曲部２２３で、支持片２１２を倒れ止め規制しスタッド１２の振動を吸収する。【選択図】        図４
2013049960.tif 000002
【特許請求の範囲】
【請求項１】
上下に配設されたランナと、該ランナ間に上下端部を支持させて横方向所定間隔を存して立設される複数のスタッドと、該スタッド間に横架される筒状の角型下地材と、該角型下地材をスタッドに固定させる固定金具とで、ドアのまぐさ部や点検口等の天井・壁下地を構成してなる下地構造において、
角型下地材を、前記固定金具を介してスタッドに固定するにあたり、固定金具を、前記角型下地材の切断小口に挿し込まれて角型下地材を支持する挿し込み式の挿入支持部と、前記スタッドに面当されて先端側が前記角型下地材から延出する固定片を有するスタッド取付部とで構成すると共に、
前記挿入支持部を、基面片と、該基面片の両側から上方に逆ハ字状に立ち上がり折曲されて角型下地材幅よりも広幅に拡開し、角型下地材内の両側角部を先端部で支持受けする支持片とを有して形成せしめる一方、
前記スタッド取付部を、前記両支持片間の基面片から上方にＬ字状に立ち上がり折曲された立上り片と、該立上り片と前記固定片との間に前記両支持片間内に屈曲する屈曲部とを有して形成せしめ、
角型下地材を、前記両支持片を挟んで角型下地材内に挿入し、その内周に弾圧せしめて抜け止め規制させ、かつ、前記挿入支持部の角型下地材に対する挿入ズレを許容して支持した状態で、前記固定片をスタッドにビス固定し、前記屈曲部により、その両端部で前記両支持片を倒れ止め規制し、かつ、スタッドの振動を弾性的に受け止め吸収して、前記挿入支持部の支持機能を維持可能に取り付してあることを特徴とする角型下地材の下地構造。
【請求項２】
ドアのまぐさ部や点検口等の天井・壁下地を構成するよう横方向所定間隔を存して立設されるスタッドに取り付けられて、スタッド間に横架される筒状の角型下地材の両端部を支持する固定金具であって、
該固定金具を、前記角型下地材の切断小口に挿し込まれて角型下地材を支持する挿し込み式の挿入支持部と、前記スタッドに面当されて先端側が前記角型下地材から延出する固定片を有するスタッド取付部とで構成すると共に、
前記挿入支持部は、基面片と、該基面片の両側から上方に逆ハ字状に立ち上がり折曲されて角型下地材幅よりも広幅に拡開し、角型下地材内の両側角部を先端部で支持受けする支持片とを有して形成せしめる一方、
前記スタッド取付部は、前記両支持片間の基面片から上方にＬ字状に立ち上がり折曲された立上り片と、該立上り片と前記固定片との間に前記両支持片間内に屈曲する屈曲部とを有して形成せしめ、
前記固定金具は、前記両支持片を、挟んで角型下地材内に挿入することで、角型下地材の内周に弾圧せしめて抜け止め規制させ、かつ、前記挿入支持部の角型下地材に対する挿入ズレを許容して支持可能とし、前記屈曲部を、その両端部で前記両支持片を倒れ止め規制し、かつ、スタッドの振動を弾性的に受け止め吸収して、前記挿入支持部の支持機能を維持可能に構成してあることを特徴とする角型下地材の固定金具。
【請求項３】
請求項１又は２において、前記屈曲部は、く字状に折曲形成されていることを特徴とする角型下地材の下地構造及び固定金具。
【請求項４】
請求項１乃至３の何れかにおいて、前記挿入支持部は、前記基面片と角型下地材の下側内周面との間、および前記支持片と角型下地材の内周面との間に形成されるスペースを介して、支持片の弾発力で揺動可能に挿入されていることを特徴とする角型下地材の下地構造及び固定金具。
【請求項５】
請求項１乃至４の何れかにおいて、前記スタッドは、前記角型下地材と同部材で形成されていることを特徴とする角型下地材の下地構造及び固定金具。
【請求項６】
請求項１乃至５の何れかにおいて、前記まぐさ部の壁下地は、前記スタッド間に横架された角型下地材の上面に対して、さらに角型下地材を前記固定金具を用いて複数立設させて構成されていることを特徴とする角型下地材の下地構造及び固定金具。
【請求項７】
請求項１乃至６の何れかにおいて、前記点検口の天井・壁下地は、その両端部に挿入された前記固定金具の固定片を外側に背反して配置させ、前記角型下地材を、前記スタッド間に上下に所定間隔を存して横架させて構成されていることを特徴とする角型下地材の下地構造及び固定金具。
【請求項８】
請求項１乃至７の何れかにおいて、前記固定金具は、一枚の板部材を曲げ加工して形成されることを特徴とする角型下地材の下地構造及び固定金具。
【発明の詳細な説明】
【技術分野】
【０００１】
本発明は、立設されるスタッド間に横架される軽量鋼製下地材を用いて構成されるドアのまぐさ部や点検口等の室内開口部を形成する天井や壁下地構造において、下地材に角形下地材を採用しその端部をスタッドに接続固定する角型下地材の下地構造及び固定金具に関する。
【背景技術】
【０００２】
一般に、ドアのまぐさ部や点検口等の室内壁下地は、天井躯体および床スラブに配設された上下のランナ（天井ランナおよびベースランナ）と、該ランナ間に上下端部を支持させて横方向所定間隔を存して立設される複数のスタッドと、該スタッド間に縦・横に配設される横下地材とで構成される下地材によって施工される。これら下地材には、０．６〜０．８mm程度の薄板により形成される軽量溝形鋼（チャンネル材）、軽量角型材（ホロー材）等が採用されている。
【０００３】
ところで従来、まぐさ部の横下地材を、スタッド間に固定するにあたり、特許文献１（５図参照）に示すように、チャンネル型まぐさ材（５）の端部を切り欠いて、両側を残しこれを狭着片（９）として、スタッド（縦枠４）に開口側を上向きにして嵌挿し、直接ビス（１０）固定するようにしたもの。
また、特許文献２（７図参照）に示すように、チャンネル型まぐさ材（横枠部材９）を、その両端部を連結金具（１０）を介してスタッド（縦枠部材６、６）間に固定するようにしたものが知られている。
【０００４】
しかしながら、これらのものは何れもスタッドとまぐさ材（横下地材）端部とを一体化して強固に連結固定したジョイント構造を採用したものであるため、まぐさ部等の室内壁下地は、前述したように薄板の軽量鋼製下地材が用いられており、下地材自体が地震等の揺れによって変形し易く、特に、スタッドと横下地材とが同時に振動にすると、両者を強固に一体化するジョイント構造としたが故に、かえってジョイント部への応力負荷がかかり横下地材自体の端部が変形し、横下地材の建付け水平度が失われ、スタッドとのジョイントにガタツキを生じ、ドアの開閉等に支障をきたし、耐震性が劣るという問題があり、しかも、壁下地であるが故に、変形した下地材の補修工事も容易に行えないという実情がある。
【０００５】
【特許文献１】特開２００７−３０８９６８号公報
【特許文献２】実開平０５−００３４１７号公報
【発明の開示】
【発明が解決しようとする課題】
【０００６】
本発明は、上記の如き問題点を一掃すべく創案されたものであって、薄板の軽量鋼製下地材を用いて、下地材の端部を、スタッドに接続固定する天井や壁下地構造でありながら、下地材端部を、スタッドと一体化結合する固定構造を廃し、下地材に角型下地材を採用し、スタッドに固定する挿し込み式の固定金具を用いて角型下地材端部を挿入して支持受けできるようにし、スタッドに角型下地材端部を直接的に当接させない接合構造とすることにより、建付け誤差を吸収し、地震等によるスタッドの振動を固定金具によって弾性的に受け止め吸収できるようにして、角型下地材端部の変形や固定金具自体の変形を防止し、固定金具による支持機能の維持を図り、角型下地材の建付け水平度を保ち、天井や壁下地全体の耐震性を向上させることができる角型下地材の壁下地構造及び固定金具を提供することを目的とする。
【課題を解決するための手段】
【０００７】
上記課題を解決するために本発明の角型下地材の下地構造は、上下に配設されたランナと、該ランナ間に上下端部を支持させて横方向所定間隔を存して立設される複数のスタッドと、該スタッド間に横架される筒状の角型下地材と、該角型下地材をスタッドに固定させる固定金具とで、ドアのまぐさ部や点検口等の天井・壁下地を構成してなる下地構造において、角型下地材を、前記固定金具を介してスタッドに固定するにあたり、固定金具を、前記角型下地材の切断小口に挿し込まれて角型下地材を支持する挿し込み式の挿入支持部と、前記スタッドに面当されて先端側が前記角型下地材から延出する固定片を有するスタッド取付部とで構成すると共に、前記挿入支持部を、基面片と、該基面片の両側から上方に逆ハ字状に立ち上がり折曲されて角型下地材幅よりも広幅に拡開し、角型下地材内の両側角部を先端部で支持受けする支持片とを有して形成せしめる一方、前記スタッド取付部を、前記両支持片間の基面片から上方にＬ字状に立ち上がり折曲された立上り片と、該立上り片と前記固定片との間に前記両支持片間内に屈曲する屈曲部とを有して形成せしめ、角型下地材を、前記両支持片を挟んで角型下地材内に挿入し、その内周に弾圧せしめて抜け止め規制させ、かつ、前記挿入支持部の角型下地材に対する挿入ズレを許容して支持した状態で、前記固定片をスタッドにビス固定し、前記屈曲部により、その両端部で前記両支持片を倒れ止め規制し、かつ、スタッドの振動を弾性的に受け止め吸収して、前記挿入支持部の支持機能を維持可能に取り付してあることを特徴とするものである。
また、上記課題を解決するために本発明の角型下地材の固定金具は、ドアのまぐさ部や点検口等の天井・壁下地を構成するよう横方向所定間隔を存して立設されるスタッドに取り付けられて、スタッド間に横架される筒状の角型下地材の両端部を支持する固定金具であって、該固定金具を、前記角型下地材の切断小口に挿し込まれて角型下地材を支持する挿し込み式の挿入支持部と、前記スタッドに面当されて先端側が前記角型下地材から延出する固定片を有するスタッド取付部とで構成すると共に、前記挿入支持部は、基面片と、該基面片の両側から上方に逆ハ字状に立ち上がり折曲されて角型下地材幅よりも広幅に拡開し、角型下地材内の両側角部を先端部で支持受けする支持片とを有して形成せしめる一方、前記スタッド取付部は、前記両支持片間の基面片から上方にＬ字状に立ち上がり折曲された立上り片と、該立上り片と前記固定片との間に前記両支持片間内に屈曲する屈曲部とを有して形成せしめ、前記固定金具は、前記両支持片を、挟んで角型下地材内に挿入することで、角型下地材の内周に弾圧せしめて抜け止め規制させ、かつ、前記挿入支持部の角型下地材に対する挿入ズレを許容して支持可能とし、前記屈曲部を、その両端部で前記両支持片を倒れ止め規制し、かつ、スタッドの振動を弾性的に受け止め吸収して、前記挿入支持部の支持機能を維持可能に構成してあることを特徴とするものである。
【発明の効果】
【０００８】
本発明は、上記のように構成したことにより、薄板の軽量鋼製下地材を用いて、下地材の端部を、スタッドに接続固定する天井や壁下地構造でありながら、スタッド間に横架する下地材に角型下地材を採用し、その内周に固定金具の挿入支持部（両支持片）を弾圧せしめて抜け止め規制させた状態で挿着できるので、抜け落ちることが無く、角型下地材から露出する固定片をスタッドへビス固定するだけで良く、固定作業が容易に行えるばかりか、角型下地材に対して固定金具を挿し込み式で接合できる結果、その建付け誤差を吸収しつつ支持することができ、角型下地材の長さを厳格な突き当て寸法にて切断する必要が無く、若干短めに切断することが可能となり、固定作業を簡略化して、天井や壁下地施工時の作業性及び効率を向上させることができる。
しかも、施工後においては、地震等によりスタッドが振動したとしても、スタッド取付部と両支持片とが独立しており、かつ、屈曲部が、その両端部で両支持片を倒れ止め規制して、角型下地材内周への弾圧機能が損なわれることが無いだけでなく、短めに切断された角型下地材の横架方向に対するスタッドの振動を弾性的に受け止め挿入ズレを許容しつつ吸収することができ、また、天井や壁下地の前後方向に対するスタッドの振動を、基面片と下側内周面との間、および支持片と横側内壁面との間に形成されるそれぞれの隙間方向に支持片の弾発復元力の作用により前後方向（横架筒芯回り方向）に傾動を伴う揺動がなされてスタッドの振動を直接伝達することなく吸収することができる。その結果、ジョイント部への応力負荷が軽減されガタツキ発生が防止され、角型下地材端部および固定金具（挿入支持部）の変形が防止されて、支持機能の維持を図ることができ、もって、角型下地材の恒久的な建付け精度が保たれて、天井や壁下地全体の耐震性を向上させて構造的品質特性の維持に寄与することができる。
【発明を実施するための最良の形態】
【０００９】
以下、本発明の実施の形態を好適な実施の形態として例示する角型下地材の下地構造及び固定金具を図面に基づいて詳細に説明する。尚、本発明は、前述した在来の室内壁開口部、天井開口部の下地構造に限定されず、間仕切り壁等を含む他の建築用鋼製下地材構造にも適用できることは言うまでもない。
【００１０】
図１は、本発明の実施態様に係る角型下地材の固定金具であり、図２は室内ドアの開口部を形成するまぐさ部の要部全体図、図３は角型下地材の揺動スペースを説明する図２のＡ−Ａ矢視図である。これらの図に示すように、固定金具２は、０．６mm程度の鋼製薄板材を用い、上下に配設されたランナ１１と、該ランナ１１間に上下端部を支持させて横方向所定間隔を存して立設される複数のスタッド１２に取り付けられて、スタッド１２間に横架される筒状の角型下地材１３の両端部を、その切断小口に挿し込ませて支持する挿し込み式の挿入支持部２１と、スタッド１２に面当されて先端側が角型下地材１３から延出する固定片２２１を有するスタッド取付部２２とで構成され、全体として側面視Ｌ字状に一体的にプレス成形されている。また、角型下地材１３には、筒内側に突出する補強用の凸状リブ１３１が上下に２本ずつ形成されている。
【００１１】
本実施例におけるスタッド１２は、角型下地材１３と同じ部材を用いて、スタッド１２と角型下地材１３とを面一に組付け、ドア枠等の枠部材を建付けし易いものとしている。また、まぐさ部１０の壁下地は、スタッド１２間に横架された角型下地材１３の上面に対して、さらに角型下地材１３を固定金具２を用いて複数立設させ、上端をランナ１１支持させた壁下地構造となっている。なお、図示しない点検口を形成する際には、スタッド１２間の上下方向に所定の開口部間隔を存して角型下地材１３を横架し、対向するそれぞれの角型下地材１３への固定金具２を、固定片２２１が外側となるように挿入し、開口部内側に配置させないことが望ましい。
【００１２】
挿入支持部２１は、凸状リブ１３１に面接する基面片２１１と、該基面片２１１の両側から上方に逆ハ字状に立ち上がり折曲されて角型下地材１３の幅よりも僅かに広幅に拡開し、角型下地材１３内の両側角部を先端部で支持受けする支持片２１２とを有して形成されており、この拡開した両支持片２１２を指で狭めて角型下地材１３に挿入すると、両支持片２１２が角型下地材１３の内周面（両側内壁面）に復元弾圧して揺動可能に圧接し抜け止めが規制なされた状態が保持され、かつ、挿入ズレを含め着脱自在に装着できるようになっている。
【００１３】
さらに、支持片２１２は、角型下地材１３に挿入した際、その先端部が角型下地材１３の上側の角部に当接して支持受けするよう、角型下地材１３の内法寸法（筒内寸法）に略適合した基面片２１１と凸状リブ１３１とが若干の隙間（遊び）をもたせた嵌め合い公差を持って形成されている。
つまり、挿入支持部２１は、凸状リブ１３１に面接する基面片２１１と凸状リブ１３１との遊びを含む下側内周面との間に形成されるスペースＳ１と、支持片２１２と横側内周面（内壁面）との間に形成されるスペースＳ２を存して、それぞれのスペースＳ１方向とスペースＳ２方向に支持片２１２の弾発復元力で揺動可能に角型下地材１３に挿入され、天井や壁下地が前後方向に地震等の振動を受けた際に、角型下地材１３を前後方向（横架筒芯回りの傾動）に揺動させてスタッド１２の振動が直接伝達されないようになっている。
なお、基面片２１１と下側内周面（内壁面）との間に形成されるスペースＳ１は、凸状リブ１３１を利用して形成したが、別途凸状部材を介在しても良く、基面片２１１に凸状リブを設けても良く、また、凸状リブ１３１を有しない角型下地材１３を用いる場合には遊びを多めにとり、要は角型下地材１３の揺動スペースが確保できるようにしたものであれば良い。
【００１４】
また、角型下地材１３は、スタッド１２間に取り付けられる２つの固定金具２の板厚０．６mm分、即ち固定片２２１間の幅よりも僅かに短めに設定し、その端部はスタッド１２に当接することなく、挿し込まれた角型下地材１３の端部を、挿入支持部２１でその建付け誤差を吸収しつつ支持するので、このとき、挿込幅寸法は、厳密に規定されるものではなく、しっかりと支持受け可能な範囲で角型下地材１３の建付け誤差（切断誤差）を吸収することができ、左右方向に挿入ズレさせることができる。なお、角型下地材１３に替えてＣ型下地材を用いても良く、要は支持片２１２が支持受けできる形状のものであれば良い。
【００１５】
スタッド取付部２２は、両支持片２１２の間の基面片２１１から上方に側面視Ｌ字状に立ち上がり折曲された立上り片２２２と、該立上り片２２２と固定片２２１との間に両支持片２１２の間内（筒内側）に介在されて、側面視く字状に９０度折曲されて屈曲する屈曲部２２３とを有して形成されている。つまり、スタッド取付部２２は、スタッド１２に面当される固定片２２１および立上り片２２２と、スタッド１２に対する非面当て域としての屈曲部２２３を有し、その屈曲する一片が立上り片２２２の幅と略同幅に設定されている。
【００１６】
屈曲部２２３の屈曲域は、角型下地材１３の内周（内壁）上端から切断小口の１／２よりも広い屈曲幅（略３／５の幅）をもって形成されており、立上り片２２２が２／５幅程度に設定されている。なお、屈曲部２２３を字状に折曲したが、湾曲状等任意の形状であっても良いことは勿論である。また、この屈曲部２２３は、その両端部で両支持片の２１２内側への倒れ込みを規制し、かつ、地震等によりスタッド１２が揺れた際に、その振動を弾性的に受け止め吸収して、直接角型下地材１３に伝達しまうことを防止する機能を有しており、挿入支持部２１の支持機能を維持できるようになっている。
【００１７】
今、図４に例示したスタッド１２が横架方向（右側）に揺れた状態に基づいて説明すると、右側の固定金具２は、ビス固定された固定片２２１がスタッド１２の振動応力を受けて外側に傾動するが、スタッド取付部２２がと支持片２１２とが独立して形成されているので、屈曲部２２３は弾力性を有し、固定片２２１が角型下地材１３の端部から離間するように弾縮され、その振動を吸収し立上り片２２２への伝達を緩和する。
【００１８】
左側の固定金具２は、ビス固定された固定片２２１がスタッド１２の振動応力を受けて内側に傾動するが、支持片２１２の上端角部がスタッド１２に当接され、支点となって立上り片２２２（固定片２２１のビス固定部よりも下側面を含む）をスタッド１２面から離間する負荷が働くが、その際スタッド取付部２２が、屈曲部２２３が弾伸され、支持片２１２の傾動より更に内側に傾動して、その振動を吸収し支持片２１２へ負荷を緩和するように作用する。さらに、角型下地材１３は、固定片２２１間幅よりも短めに切断されて左右方向に挿入ズレ可能に架設されているので、スタッド１２の振動に際して挿入ズレしながら揺動して、屈曲部２２３との共同作用によって振動を吸収することができ、固定金具２の変形を防止して角型下地材１３の建付け水平度が維持される。
【００１９】
叙述の如く構成された本発明の実施の形態において、天井や壁下地の施工を行う際、角型下地材１３の端部を、固定金具２を介してスタッド１２間に横架して固定するのであるが、固定金具２は、角型下地材１３の切断小口に挿し込まれて角型下地材１３を支持する挿し込み式の挿入支持部２１と、スタッド１２に面当されて先端側が角型下地材１３から延出する固定片２２１を有するスタッド取付部２２とで構成すると共に、挿入支持部２１は、基面片２１１と、該基面片２１１の両側から上方に逆ハ字状に立ち上がり折曲されて角型下地材１３の内法幅よりも広幅に拡開し、角型下地材１３内の両側角部を先端部で支持受けする支持片２１２とを有して形成せしめる一方、スタッド取付部２２は、両支持片２１２間の基面片２１１から上方にＬ字状に立ち上がり折曲された立上り片２２２と、該立上り片２２２と固定片２２１との間に両支持片２１２間内に屈曲する屈曲部２２３とを有して形成せしめ、固定金具２は、両支持片２１２を、挟んで角型下地材１３内に挿入することで、角型下地材１３の内周面（内壁面）に弾圧せしめて抜け止め規制させ、かつ、挿入支持部２１の角型下地材１３に対する挿入ズレを許容して支持可能とし、屈曲部２２３を、その両端部で両支持片２１２を倒れ止め規制し、かつ、スタッド１２の振動を弾性的に受け止め吸収して、挿入支持部２１の支持機能を維持可能に構成してある。
【００２０】
この様に固定金具２を構成すると、薄板の軽量鋼製下地材を用いて、下地材の端部を、スタッド１２に接続固定する天井や壁下地構造でありながら、スタッド１２間に横架する下地材に角型下地材１３を採用し、その内周（内壁）に固定金具２の挿入支持部２１（両支持片２１２）を弾圧せしめて抜け止め規制させた状態で挿着できるので、溶接やビス止めを行なわなくとも作業中に抜け落ちることが無く、ガタツキなく支持することができ、角型下地材１３から露出する固定片２２１をスタッド１２へビス固定するだけで良く、固定作業が容易に行えるばかりか、角型下地材１３に対して固定金具２を挿し込み式で接合できる結果、その建付け誤差を吸収しつつ支持することができ、角型下地材の長さを厳格な突き当て寸法にて切断する必要が無く、若干短めに切断することが可能となり、固定作業を簡略化して、天井や壁下地施工時の作業性及び効率を向上させることができる。
【００２１】
しかも、施工後においては、地震等によりスタッド１２が振動したとしても、スタッド取付部２２と両支持片２１２とが独立しており、かつ、屈曲部２２３が、その両端部で両支持片を倒れ止め規制して、角型下地材内周（内壁）への弾圧機能が損なわれることが無いだけでなく、角型下地材の横架方向に対するスタッドの振動を、弾性的に受け止め、短めに切断された角型下地材の挿入ズレを許容しつつ吸収することができる。また、天井や壁下地の前後方向に対するスタッドの振動を、基面片２１１と下側内周面（内壁面）との間、および支持片２１２と横側内周面（内壁面）との間に形成されるそれぞれの隙間（スペースＳ１とスペースＳ２）方向に支持片２１２の弾発復元力の作用により、角型下地材１３を前後方向（横架筒芯回り方向）に傾動を伴う揺動がなされてスタッド１２の振動を直接伝達することなく吸収することができる。その結果、ジョイント部への応力負荷が軽減されガタツキ発生が防止され、角型下地材１３の端部および固定金具２（挿入支持部２１）の変形が防止されて、支持機能の維持を図ることができ、もって、角型下地材１３の恒久的な建付け精度が保たれて、天井や壁下地全体の耐震性を向上させて構造的品質特性の維持に寄与することができる。
【００２２】
また、屈曲部２２３は、立上り片２２２と固定片２２１との間に両支持片２１２の間内（筒内側）に側面略視く字状に折曲形成されているので、角型下地材１３内に挿入支持部２１を挿入した際に、固定片２２１から下方に向けて傾斜する傾斜面が、角型下地材１３に形成され上側の凸状リブ１３１により邪魔されることがなく挿入することができるだけでなく、その両端部で両支持片の２１２内側への倒れ込みを規制することができる。
【００２３】
また、挿入支持部２１は、基面片２１１と角型下地材１３の下側内周面（内壁面）との間、および支持片２１２と角型下地材１３の内周面（内壁面）との間に形成されるスペースＳ１、Ｓ２を介して、支持片２１２の弾発力で揺動可能に挿入されているので、角型下地材１３へのスムーズな挿入セットが行え、天井や壁下地が前後方向に地震等の振動を受けた際に、角型下地材１３を前後方向（横架筒芯回りの傾動）に揺動させてスタッド１２の振動を吸収し、直接伝達されないようになっている。
【００２４】
また、スタッド１２は、角型下地材１３と同部材で形成されており、また、まぐさ部１０の壁下地は、スタッド１２間に横架された角型下地材１３の上面に対して、さらに角型下地材１３を固定金具２を用いて複数立設させて構成されており、また、点検口の天井や壁下地は、角型下地材１３を、その両端部に挿入された固定金具２の固定片２２１を外側に背反して配置させ、前記スタッド間に上下に所定間隔を存して横架させて構成されているいるので、これらスタッド１２、横架される角型下地材１３、立設される角型下地材１３を面一に組み付けることができ、その内周側に固定片２２１が配置されることもなく、壁面ボードを面一に装着できると共に、ドア枠や点検口枠をスペーサー（端材）をかましながら枠部材を取り付けする作業を軽減し、作業効率が向上され、精度良く建付けることができる。
【００２５】
また、固定金具２は、一枚の板部材をプレスにより曲げ加工して形成されているので、固定金具２の製造コストを削減し、安価な固定金具２を提供できる利点がある。
【図面の簡単な説明】
【００２６】
【図１】角型下地材の固定金具であり、（Ａ）は平面図、（Ｂ）は平面図、（Ｃ）は側面図、（Ｄ）は断面図である。
【図２】固定金具のまぐさ部を形成する下地構造への使用例を示す要部正面図である。
【図３】角型下地材の揺動スペースを説明する図２のＡ−Ａ断面図である。
【図４】スタッドが横架方向（右側）に揺れた状態を示す固定金具の作用説明図である。
【符号の説明】
【００２７】
１０    まぐさ部
１１    ランナ
１２    スタッド
１３    角型下地材
１３１  凸状リブ
２      固定金具
２１    挿入支持部
２１１  基面片
２１２  支持片
２２    スタッド取付部
２２１  固定片
２２２  立上り片
２２３  屈曲部
Ｓ１    スペース（隙間）
Ｓ２    スペース（隙間）
【図１】
2013049960.tif 000003
【図２】
2013049960.tif 000004
【図３】
2013049960.tif 000005
【図４】
2013049960.tif 000006